(57)【特許請求の範囲】
【請求項１】
回転中心となるハブと、該ハブの外周に設けられた複数枚の羽根と、該羽根の外周側に位置して吸込領域と吹出領域とを仕切るベルマウスとを備え、上記各羽根の外周端側翼面を前縁側から後縁側にかけて所定の間隔で複数の凹条面又は凸条面を有する構造に形成してなるプロペラファンであって、上記凹条面又は凸条面は、上記羽根外周端の羽根の厚さを変えることなく、翼端自体を波形に曲成することにより、上記羽根外周端の正圧面側および負圧面側の両面に形成されていることを特徴とするプロペラファン。
【請求項２】
凹条面又は凸条面は、曲面よりなっていることを特徴とする請求項１記載のプロペラファン。
【請求項３】
凹条面又は凸条面は、角面よりなっていることを特徴とする請求項１記載のプロペラファン。
【請求項４】
凹条面又は凸条面は、羽根面上を流れる空気流のフローパターンに応じた方向に延びて形成されていることを特徴とする請求項１，２又は３記載のプロペラファン。
【請求項５】
凹条面又は凸条面は、ハブから羽根外周端までの間の距離の８０％〜１００％の位置の一部に形成されていることを特徴とする請求項１，２，３又は４記載のプロペラファン。
【請求項６】
凹条面又は凸条面は、ハブから羽根外周端までの間の距離の８０％〜１００％の位置の全体に形成されていることを特徴とする請求項１，２，３又は４記載のプロペラファン。
【請求項７】
各羽根の後縁部の正圧面側に、ファン回転方向に延びる複数列の断面円弧状の凹条部をスパン方向に並設したことを特徴とする請求項１，２，３，４，５又は６記載のプロペラファン。
【請求項８】
羽根後縁部の負圧面側には、羽根正圧面側の断面円弧状の凹条部に対応して断面円弧状の凸条部が形成されていることを特徴とする請求項７記載のプロペラファン。
【請求項９】
凹条部は、翼弦長の略中点より後縁側のベルマウスで囲われた部分に対応して設けられていることを特徴とする請求項７又は８記載のプロペラファン。
【請求項１０】
凹条部は翼弦長の中点付近でその大きさが徐々に小さくなり、滑らかに羽根面に面一化されるように構成されていることを特徴とする請求項７，８又は９記載のプロペラファン。
【発明の詳細な説明】
【技術分野】
【０００１】
本願発明は、翼端渦の抑制機能を備えたプロペラファンの構造に関するものである。
【背景技術】
【０００２】
従来一般のプロペラファンでは、ベルマウスとファンの翼端部との間に所定の寸法の空間（隙間）を設けており（特許文献１参照）、その空間では翼の圧力面側から負圧面側に流れ込む漏れ流れが生じる。
【０００３】
この漏れ流れは、例えば図３２中に仮想線で示すように、上流側から下流側に向うにつれて次第に増大してコアを共通にする大規模な渦構造を有する螺旋状の翼端渦となり、これが吹出し騒音の上昇とファンモータ入力の増加の原因となる。
【０００４】
なお、図３２中、符号１はハブ、２は羽根、２ａは羽根２の前縁、２ｂは羽根２の後縁、２ｃは羽根２の外周端（翼端）である。
【０００５】
このような漏れ流れないし翼端渦の規模を抑制、縮小化させる従来例として、例えばベルマウスに囲まれていない羽根の外周端部の正圧面側に羽根の吸込み側から吐出側にかけて順次高さが高くなる板状のリブを取り付けたものがある（特許文献２参照）。
【０００６】
また、上記のような空気調和機用室外機ユニット等に使用されている従来一般のプロペラファンでは、室外機ユニット前面側の仕切板部分に設けたベルマウスに対してファンの羽根後縁部が所定幅オーバラップする形で遊嵌されており、それによって静圧および動圧を高めて可及的に有効な送風性能を得るようにしている（同じく上述の特許文献１を参照）。
【０００７】
【特許文献１】特開２００７−４０１１６号公報参照（図１，２参照）
【特許文献２】特開平５−４４６９５号公報参照（明細書第２−３頁、図１−２参照）
【発明の開示】
【発明が解決しようとする課題】
【０００８】
しかし、上記第２の特許文献は、あくまでも送風機が羽根車の吐出側に吐出された気流を略軸流方向から略半径方向に偏向させるためのパネルを有する斜流ファンタイプのものの場合において、羽根車の吸込み側から流入する気流の一部が、羽根の圧力面側からベルマウスに囲まれていない羽根車の外周に吹き出し、また羽根の負圧面側より吸い込まれる循環流れを防止することによって、送風性能の劣化、送風騒音の増加を抑えるようにしたものであって、基本的には斜流ファンにおける半径方向外方への流れを問題としているにすぎない。
【０００９】
したがって、上述の場合とは技術的な課題を異にし、必ずしも有効な翼端渦の抑制策とはならない。
【００１０】
また、同リブ構造を採用することができる羽根の外周縁形状には制約がある。さらに同構成の場合、羽根自体の送風特性に影響を与えるし、羽根の重量を増大させてしまう弱点もある。
【００１１】
さらに、上記特許文献１の構成の場合、羽根外周側端部において、圧力面側から負圧面側に漏れる漏れ渦は抑制されるものの、上述した遠心力によりハブ側から外周端側へ向かって生じる外向きの流れは抑制することができない。
【００１２】
本願発明は、上述の課題を解決するためになされたもので、羽根外周端部の羽根の厚さを変えることなく、翼端自体を波形に曲成することにより、羽根外周端部の正圧面側および負圧面側の形状を前縁側から後縁側方向にかけて複数の凹条面又は凸条面を有する構造に形成することによって、翼の正圧面側から負圧面側に流れ込もうとする漏れ流れによる翼端渦の成長を効果的に抑制し得るようにし、さらには、羽根後縁部の圧力面側スパン方向にファン回転方向に延びる複数列の凹条部を並設することによって、それら凹条部の凹面および凹条部と凹条部との間に形成される凸条部とによって遠心力による外向きの流れを効果的に抑制するするようにしたプロペラファンを提供することを目的とするものである。
【課題を解決するための手段】
【００１３】
本願発明は、同目的を達成するために、次のような有効な課題解決手段を備えて構成されている。
【００１４】
（１）  請求項１の発明
この発明のプロペラファンは、回転中心となるハブと、該ハブの外周に設けられた複数枚の羽根と、該羽根の外周側に位置して吸込領域と吹出領域とを仕切るベルマウスとを備え、上記各羽根の外周端側翼面を前縁側から後縁側にかけて所定の間隔で複数の凹条面又は凸条面を有する構造に形成してなるプロペラファンであって、上記凹条面又は凸条面は、上記羽根外周端の羽根の厚さを変えることなく、翼端自体を波形に曲成することにより、上記羽根外周端の正圧面側および負圧面側の両面に形成されていることを特徴としている。
【００１５】
このように、羽根外周端側翼面を前縁側から後縁側にかけて所定の間隔で複数の凹条面又は凸条面を有する構造に形成すると、翼の正圧面側から負圧面側に流れ込む連続的な漏れ流れを断続的なものに細分化することができる。そして、これにより漏れ流れによる翼端渦の成長を抑制することができる。
【００１６】
しかも、その場合において、同凹条面又は凸条面が、羽根外周端の正圧面側と負圧面側の両方に形成されていると、羽根の正圧面側から負圧面側に流れ込む連続的な漏れ流れを、各面で効果的に断続的なものに細分化することができ、漏れ流れによる翼端渦の成長を一層効果的に抑制することができる。
【００１７】
その結果、騒音やファンモーターの入力を低減することができる。
【００１８】
さらに、その場合における凹条面又は凸条面が、特に羽根外周端の羽根の厚さを変えることなく、羽根外周端自体を波形に曲成することにより形成されていると、何れか一方の面を基準面として、当該羽根自体の厚さを変化させることなく、羽根外周端部を曲成させるだけで翼端渦の細分化、抑制を図ることができるので、羽根成型時の一体成型により容易に加工することができる。
【００１９】
（２）  請求項２の発明
この発明のプロペラファンは、上記請求項１の発明の構成における凹条面又は凸条面が、曲面よりなっていることを特徴とするものである。
【００２０】
凹条面又は凸条面の面形状は角面形状でも曲面形状でもよいが、曲面の場合には滑らかに空気を流しながら、スムーズに翼端渦の細分化を図ることができる。
【００２１】
（３）  請求項３の発明
この発明のプロペラファンは、上記請求項１の発明の構成における凹条面又は凸条面が、角面よりなっていることを特徴とするものである。
【００２２】
凹条面又は凸条面の面形状は角面形状でも曲面形状でもよいが、角面の場合には、より効果的に翼端渦の細分化を図ることができる。
【００２３】
（４）  請求項４の発明
この発明は、上記請求項１，２又は３の発明の構成において、凹条面又は凸条面は、羽根面上を流れる空気流のフローパターンに応じた方向に延びて形成されていることを特徴としている。
【００２４】
このように、上記請求項１，２又は３の発明の構成における凹条面又は凸条面が、羽根面上を流れる空気流のフローパターンに応じた方向に延びて形成されていると、本来の羽根面上のフローパターンを乱すことなく、正圧面側から負圧面側に流れ込む連続的な漏れ流れを断続的なものに細分化することができる。そして、それにより、より効果的に漏れ流れによる翼端渦の成長を抑制することができる。
【００２５】
（５）  請求項５の発明
この発明は、上記請求項１，２，３又は４の発明の構成において、凹条面又は凸条面は、ハブから羽根外周端までの間の距離の８０％〜１００％の位置の一部に形成されていることを特徴としている。
【００２６】
このように、上記請求項１，２，３又は４の発明の構成における凹条面又は凸条面が、ハブから羽根外周端までの間の距離の８０％〜１００％の位置の一部に形成されていると、上記羽根本来の主流の流れを阻害することなく、上記羽根正圧面側から負圧面側に流れ込む連続的な漏れ流れを断続的なものに細分化することができる。そして、それにより、効果的に漏れ流れによる翼端渦の成長を抑制することができる。
【００２７】
（６）  請求項６の発明
この発明は、上記請求項１，２，３又は４の発明の構成において、凹条面又は凸条面は、ハブから羽根外周端までの間の距離の８０％〜１００％の位置の全体に形成されていることを特徴としている。
【００２８】
このように、上記請求項１，２，３又は４の発明の構成における凹条面又は凸条面が、ハブから羽根外周端までの間の距離の８０％〜１００％の位置の全体に形成されていると、上記羽根本来の主流の流れを阻害することなく、上記羽根正圧面側から負圧面側に流れ込む連続的な漏れ流れを、より断続的な小さなものに細分化することができる。そして、それにより、一層効果的に漏れ流れによる翼端渦の成長を抑制することができる。
【００２９】
（７）  請求項７の発明
この発明は、上記請求項１，２，３，４，５又は６の発明の構成において、羽根後縁部の正圧面側に、ファン回転方向に延びる複数列の断面円弧状の凹条部をスパン方向に並設し、それら凹条部の凹部面および凹条部と凹条部との間に形成される凸条部とによって遠心力による外向き流れを抑制するようにしたことを特徴としている。
【００３０】
このような構成によると、上記遠心力による羽根圧力面側のハブ側から外周端側へのスパン方向の外向き流れを、スパン方向に並設された所定の深さの断面円弧状の凹条部および所定の高さの凹条部間凸条部によって効果的に抑制し得るようになる。
【００３１】
すなわち、同構成では、圧力面側の遠心力による半径方向速度成分が、上記凹条部の円弧状の曲面と上記凹条部の外側の凸条部の壁面に押しつけられて、効果的に外向きの流れが抑制される。これにより、圧力面側の流れは、断面円弧状の各凹条部の軸方向に沿って流れやすくなる。
【００３２】
その結果、従来のように羽根の外周部側に流れが集中せず、羽根の外周側とハブ側との速度差、風量差が小さくなり、羽根外周側での仕事量が減少する一方、ハブ側での仕事量が増加し、結局スパン方向全体にわたって仕事をするようになる。
【００３３】
（８）  請求項８の発明
この発明は、上記請求項７の発明の構成において、上記羽根後縁部の負圧面側には、上記羽根圧力面側の断面円弧状の凹条部に対応して断面円弧状の凸条部が形成されていることを特徴としている。
【００３４】
このような構成によると、例えば羽根後縁部を波形に湾曲させる等の成形方法により、薄翼タイプの羽根の場合にも、圧力面側に十分な深さの凹条部、十分な高さの凹条部間凸条部を簡単に形成することができる。
【００３５】
したがって、上記遠心力による羽根のハブ側から外周端側への外向き流れを同十分な深さの凹条部および十分な高さの凹条部間凸条部によって、より確実に抑制し得るようになる。
【００３６】
（９）  請求項９の発明
この発明は、上記請求項７又は８の発明の構成において、上記凹条部は、上記羽根後縁部の翼弦長の略中点より後縁側のベルマウスで囲われた部分に対応して設けられていることを特徴としている。
【００３７】
すでに述べたように、ベルマウスにより羽根の一部分が囲われている半開放型のプロペラファンの場合、吸い込み側での半径方向速度成分の変化が大きい。したがって、ベルマウスで囲われている下流側においても、流れ状態が求心的な流れ、軸方向流れ、外向き流れと様々に流れが変化する。
【００３８】
ところが、上記請求項７又は８の発明の構成を、同ベルマウスで囲われた部分に対応する部分に設けると、羽根外周部でベルマウスの隙間を通過して圧力面側から負圧面側に漏れる流れが少なくなり、翼端渦も小さくなる。
【００３９】
（１０）  請求項１０の発明
この発明は、上記請求項７，８又は９の発明の構成において、上記凹条部は翼弦長の中点付近でその大きさが徐々に小さくなり、羽根面に滑らかに面一化されるように構成されていることを特徴としている。
【００４０】
このような構成によると、羽根面上の流れを剥離させることなく、前縁側から後縁側にかけてスムーズな流れとすることができる。
【発明の効果】
【００４１】
以上の結果、本願発明のプロペラファンによると、ベルマウスとファンの羽根外周端部との間の空間部において正圧面側から負圧面側に流れ込む漏れ流れによる翼端渦の成長を効果的に抑制することができるとともに、さらに遠心力による外向き流れを抑制することができ、送風性能（効率、送風音）が向上して、騒音およびファンモータ負荷の増大を回避することができる。
【発明を実施するための最良の形態】
【００４２】
（最良の実施の形態１）
図１〜図５は、一例として空気調和機用室外機ユニットの送風機に適した本願発明の最良の実施の形態１に係るプロペラファンの構成を示している。
【００４３】
例えば図１は、同プロペラファンの羽根部のベルマウスとの関係における全体的な構成を、また図２は同羽根部の全体的な構成を、さらに図３〜図５は、同羽根部の羽根自体の要部の構成と作用を、それぞれ示している。
【００４４】
（ファンおよび羽根部の基本的な構成）
先ず図１および図２において、符号１は当該プロペラファン（送風機）の回転中心となる合成樹脂製のハブであり、該ハブ１の筒状の外周面には複数枚（３枚）の羽根２，２，２が一体に形成されている。
【００４５】
そして、これらハブ１および羽根２，２，２の外周側にはベルマウス４があり、ベルマウス４の筒体部（吸い込みおよび吹き出し用の気流ガイド部）４ｂの内周面とファンの羽根外周端部（翼端部）２ｃとの間には所定の空間Ｓを設けており、その空間Ｓでは翼の正圧面側から負圧面側に流れ込む漏れ流れが生じる。
【００４６】
この漏れ流れは、そのままでは、例えば図１５に示すように、下流側に向うにつれて次第に増大してコアを共通にする大規模な渦構造を有する螺旋状の翼端渦となり、吹出し騒音の上昇とファンモータ入力の増加の原因となる。
【００４７】
なお、図１中の符号４ａは、ベルマウス４の下流側の仕切板部分を示している。
【００４８】
上記羽根２，２，２は、その前縁２ａの外周端と後縁２ｂの外周端が、それぞれハブ１側の内周端よりも当該羽根２の回転方向前方に位置しているとともに、その翼端（外周端）２ｃ部分は、図示のように、上記前縁２ａ付近から後縁２ｂ付近にかけて（少なくとも正圧面側から負圧面側に気流が漏れ始める起点を含めて、それ以降の部分を十分にカバーするように）、その圧力面側および負圧面側の各面に所定の間隔で凹条面又は凸条面が設けられている。
【００４９】
この凹条面の凹条の溝Ａ又は凸条面の凸条の山Ｂは、本実施の形態の場合には、それぞれ上記ハブ１の軸中心Ｏから半径方向外方に（放射方向に）均等な所定回転角度で延びる複数本の直線Ｌ，Ｌ・・・を引いた時の各直線Ｌ，Ｌ・・・と同じ方向に（平行に）所定の長さだけ形成されている。
【００５０】
これら凹条の溝（凹条面）Ａと凸（凸条面）条の山Ｂは、例えば図４に示すように、凹条面および凸条面を有しない元のフラットな羽根２の形状において、図４に示すように、その正圧面側を基準面として翼端２ｃの一部を負圧面側に所定の間隔で突出させることにより（又は摺曲させることにより）、正圧面側および負圧面側の各々に形成する。
【００５１】
この結果、上述した羽根２，２，２の翼端２ｃは、例えば図４および図５に示すように、その前縁２ａ側から後縁２ｂ側にかけて略全体に亘って、上記交互に連続する凹条の溝Ａ，Ａ・・・および凸条の山Ｂ，Ｂ・・・が全体として同じ厚さの波形部を形成することになる。
【００５２】
そして、このように、羽根外周端２ｃ部分の形状を波形にすると、羽根２，２，２の外周端２ｃ部分において正圧面側から負圧面側に流れ込む連続的な漏れ流れを、例えば図５に示すように断続的な細かいものに細分化することができる。これにより同漏れ流れによる従来のようなコアを共通にする翼端渦の成長（図１５参照）を可及的に抑制することができる。
【００５３】
その結果、ファンの騒音やファンモーターの駆動負荷を低減することができ、ファンモータへの入力を低減することができる。
【００５４】
なお、以上の場合において、上記凹条の溝Ａよりなる凹条面又は凸条の山Ｂよりなる凸条面の面形状は角面形状でも曲面形状でもよいが、曲面の場合には滑らかに空気を流しながら、スムーズに渦の細分化を図ることができる。
【００５５】
他方、角面の場合には、より効果的に渦の細分化を図ることができる。
【００５６】
また、上記凹条面又は凸条面は、例えば上述のハブ１から羽根外周端２ｃまでの間の距離Ｒの８０％〜１００％の外周寄り位置（図３中のＲ１／Ｒが、０．８≦Ｒ１／Ｒ≦１．０の範囲）の一部か、又は全部に形成することができる。
【００５７】
先ず上記凹条面又は凸条面が、上述のハブ１から羽根外周端２ｃまでの間の距離Ｒの８０％〜１００％の範囲の外周寄り位置の一部に形成されている場合にも、上記羽根２本来の主流の流れを阻害することなく、上記羽根２の正圧面側から負圧面側に流れ込む連続的な漏れ流れを断続的なものに細分化することができる。そして、それにより、効果的に漏れ流れによる翼端渦の成長を抑制することができる。
【００５８】
次に上記凹条面又は凸条面が、上述のハブ１から羽根外周端２ｃまでの間の距離Ｒの８０％〜１００％の範囲の外周寄り位置の全体に形成されていると、上記羽根２本来の主流の流れを阻害することなく、上記羽根２の正圧面側から負圧面側に流れ込む連続的な漏れ流れを、より細かい断続的なものに細分化することができる。そして、それにより、より効果的に漏れ流れによる翼端渦の成長を抑制することができる。
【００５９】
（最良の実施の形態２）
図６は、同じく空気調和機用室外機ユニットの送風機に適した本願発明の最良の実施の形態２に係るプロペラファンの羽根の要部の構成を示している。
【００６０】
以上の最良の実施の形態１の構成では、凹凸面を有しない元のフラットな羽根２の形状において、図４に示すように、その正圧面側を基準面として外周端２ｃの一部を負圧面側に所定の間隔で突出させることにより（又は摺曲させることにより）、正圧面側および負圧面側の各々に凹条の溝（凹条面）Ａ，Ａ・・・と凸条の山（凸条面）Ｂ，Ｂ・・・が交互に連続する波形の構造に形成するようにした。
【００６１】
これは、また上記の関係とは逆に、同様の凹凸面を有しない元のフラットな羽根２の形状において、例えば図６に示すように、その負圧面側を基準面として外周端２ｃの一部を正圧面側に所定の間隔で突出させることにより（又は摺曲させることにより）、正圧面側および負圧面側の各々に凹条の溝（凹条面）Ａ，Ａ・・・と凸条の山（凸条面）Ｂ，Ｂ・・・が交互に連続する波形の構造に形成するようにしてもよい。
【００６２】
このようにした場合にも、上述の場合と全く同様に、羽根２，２，２の外周端２ｃは、例えば図５に示すように、その前縁２ａ側から後縁２ｂ側にかけて略全体に亘って、交互に連続する凹条の溝Ａ，Ａ・・・および凸条の山Ｂ，Ｂ・・・が交互に連続する波形部を形成することになる。
【００６３】
そして、このように羽根外周端２ｃ部分の形状を波形にすると、同波形部分で羽根２，２，２の正圧面側から負圧面側に流れ込む連続的な漏れ流れを、断続的な細かいものに細分化することができ、同漏れ流れによる従来のような翼端渦の成長（図３２参照）を可及的に抑制することができる。
【００６４】
その結果、ファンの騒音やファンモーターの駆動負荷を低減することができ、ファンモータへの入力を低減することができる。
【００６５】
（参考例１）
図７は、同じく空気調和機用室外機ユニットの送風機に適した本願発明を理解する上での参考例１に係るプロペラファンの羽根の要部の構成を示している。
【００６６】
上述の２つの実施の形態では、羽根２，２，２の外周端２ｃの正圧面側および負圧面側の両面において、その前縁２ａ側から後縁２ｂ側にかけて略全体に亘って交互に連続する複数の凹条の溝Ａ，Ａ・・・および凸条の山Ｂ，Ｂ・・・が波形部を形成するようにした。
【００６７】
しかし、上記翼端渦細分化のための凹条の溝Ａ，Ａ・・・又は凸条の山Ｂ，Ｂ・・・は、必ずしも正圧面側および負圧面側の両面に形成しなければならないものではなく、何れか一方側だけでも十分に有効な作用を果たす。
【００６８】
したがって、例えば図７に示すように、元のフラットな羽根形状の正圧面を基準面として、同正圧面側の一部を所定の間隔で部分的に薄く形成することによって、正圧面側にのみ上記同様の凹条の溝Ａ，Ａ・・・とそれらの間の凸条の山Ｂ，Ｂ・・・を形成し、実質的に波形の構造（片面波形構造）を実現するようにしてもよい。
【００６９】
このような構成によっても、正圧面側から負圧面側に流れ込む連続的な漏れ流れを、正圧面側の凹条の溝Ａ，Ａ・・・および凸条の山Ｂ，Ｂ・・・よりなる波形面で断続的な細かいものに細分化することができる。これにより、同漏れ流れによる従来のような翼端渦の成長（図３２参照）を可及的に抑制することができる。また、羽根２を薄くした分だけ軽くなる。
【００７０】
その結果、ファンの騒音やファンモーターの駆動負荷をより有効に低減することができ、ファンモータへの入力をより低減することができる。
【００７１】
（参考例２）
図８は、同じく空気調和機用室外機ユニットの送風機に適した本願発明を理解する上での参考例２に係るプロペラファンの羽根の要部の構成を示している。
【００７２】
上述の２つの実施の形態では、羽根２，２，２の外周端２ｃの正圧面側および負圧面側の両面において、その前縁２ａ側から後縁２ｂ側にかけて略全体に亘って交互に連続する凹条の溝Ａ，Ａ・・・および凸条の山Ｂ，Ｂ・・・が波形部を形成するようにした。
【００７３】
上記のように翼端渦細分化のための凹条の溝Ａ，Ａ・・・又は凸条の山Ｂ，Ｂ・・・は、必ずしも正圧面側および負圧面側の両面に形成しなければならないものではなく、何れか一方側だけでも十分に有効な作用を果たす。
【００７４】
したがって、この参考例では、例えば図８に示すように、元のフラットな羽根形状の負圧面を基準面として、同負圧面側の一部を所定の間隔で部分的に薄く形成することによって、負圧面側にのみ上記同様の凹条の溝Ａ，Ａ・・・とそれらの間の凸条の山Ｂ，Ｂ・・・を形成し、実質的に波形の構造（片面波形構造）を実現するようにしている。
【００７５】
このような構成によっても、正圧面側から負圧面側に流れ込んでくる連続的な漏れ流れを、負圧面側の凹条の溝Ａ，Ａ・・・および凸条の山Ｂ，Ｂ・・・よりなる波形面で断続的な細かいものに細分化することができる。これにより、同漏れ流れによる従来のような翼端渦の成長（図１５参照）を可及的に抑制することができる。また、薄くした分だけ羽根２を軽量化することができる。
【００７６】
その結果、ファンの騒音やファンモーターの駆動負荷を有効に低減することができ、ファンモータへの入力をも低減することができる。
【００７７】
（最良の実施の形態３）
図９は、同じく空気調和機用室外機ユニットの送風機に適した本願発明の最良の実施の形態３に係るプロペラファンの羽根の構成を示している。
【００７８】
上述の最良の実施の形態１，２および参考例１，２の構成では、その何れにあっても、上記凹条の溝Ａ，Ａ・・・、凸条の山Ｂ，Ｂ・・・は、それぞれ上記ハブ１の軸中心Ｏから半径方向外方に均等な所定回転角度間隔で延びる複数本の直線Ｌ，Ｌ・・・を引いた時の当該各直線Ｌ，Ｌ・・・と同じ方向に（平行に）所定の長さだけ形成されている。
【００７９】
しかし、上記凹条の溝Ａ，Ａ・・・、凸条の山Ｂ，Ｂ・・・は、例えば図９に示すように、同直線Ｌ，Ｌ・・・に対して所定の角度θだけ回転方向に（前縁２ａ方向に）傾斜したものとしてもよい。
【００８０】
このようにすると、上記凹条の溝Ａ，Ａ・・・よりなる凹条面および凸条の山Ｂ，Ｂ・・・よりなる凸条面が、羽根面上を流れる空気流のフローパターンに応じた方向に延びて形成されることになり、本来の羽根面上のフローパターンを乱すことなく、正圧面側から負圧面側に流れ込む連続的な漏れ流れを有効に断続的なものに細分化することができる。そして、それにより、より効果的に漏れ流れによる翼端渦の成長を抑制することができるようになる。その結果、外周端２ｃの波形部による翼端渦破砕作用がより向上する。
【００８１】
（最良の実施の形態４）
図１０は、同じく空気調和機用室外機ユニットの送風機に適した本願発明の最良の実施の形態４に係るプロペラファンの羽根の構成を示している。
【００８２】
上述の最良の実施の形態１，２および参考例１，２の構成では、その何れにあっても、上記凹条の溝Ａ，Ａ・・・、凸条の山Ｂ，Ｂ・・・は、それぞれ上記ハブ１の軸中心Ｏから半径方向外方に均等な所定回転角度間隔で延びる複数本の直線Ｌ，Ｌ・・・を引いた時の当該各直線Ｌ，Ｌ・・・と同じ方向に（平行に）所定の長さだけ形成されている。
【００８３】
しかし、上記凹条の溝Ａ，Ａ・・・、凸条の山Ｂ，Ｂ・・・は、例えば図１０に示すように、同直線Ｌ，Ｌ・・・に対して所定の角度θだけ回転方向後方に（後縁２ｂ方向に）傾斜したものとしてもよい。
【００８４】
このようにしても、やはり上記図９の場合と同じ様に外周端２ｃの波形部による翼端渦破砕作用がより向上する。
【００８５】
（最良の実施の形態５）
図１１は、空気調和機用室外機ユニットの送風機に適した本願発明の最良の実施の形態５に係るプロペラファンの羽根部分の構成を示している。
【００８６】
以上の最良の実施の形態１〜４および参考例１，２の構成では、前縁２ａ付近から後縁２ｂ付近にかけて、圧力面側から負圧面側に気流が漏れる領域の全てをカバーするように、その圧力面側および負圧面側の各面に所定の間隔で凹条の溝Ａ，Ａ・・・および凸条の山Ｂ，Ｂ・・・よりなる波形部が設けられている。
【００８７】
しかし、同波形部は必ずしも前縁２ａ側から後縁２ｂ側までの全域に亘って設けなければならないものではなく、少なくとも正圧面側から負圧面側に気流が漏れ始める起点以降の領域をカバーするように設ければ良く、その場合において、好ましくは図１１に示すように、後縁２ｂ側に行くほど翼端渦が増大するので、それに対応して波形部分の幅を拡大することが好ましい。
【００８８】
（最良の実施の形態６）
図１２〜１４は、空気調和機用室外機ユニットの送風機に適した本願発明の最良の実施の形態６に係るプロペラファンの羽根部分の構成を示している。
【００８９】
以上の最良の実施の形態１〜４および参考例１，２の構成では、前縁２ａ付近から後縁２ｂ付近にかけて、圧力面側から負圧面側に気流が漏れる領域の全てをカバーするように、その圧力面側および負圧面側の各面に所定の間隔で凹条の溝Ａ，Ａ・・・および凸条の山Ｂ，Ｂ・・・よりなる波形部が設けられている。
【００９０】
しかし、同波形部は必ずしも前縁２ａ側から後縁２ｂ側までの全域に亘って設けなければならないものではなく、上記実施の形態７のような正圧面側から負圧面側に気流が漏れ始める起点以降の領域に設ける方法のほかに、例えば図１２に示すように、ファンの羽根２，２，２とベルマウス４の筒体（ガイド部）４ｂとのオーバーラップ部（渦の干渉領域）のみに設ける方法や、逆に図１３のような非オーバーラップ部のみに設ける方法、その他図１４に示すように翼端中央の翼端渦の増大し初める領域を中心にして設ける方法なども有効である。
【００９１】
（最良の実施の形態７）
図１５および図１６は、空気調和機用室外機ユニットの送風機に適した本願発明の最良の実施の形態７に係るプロペラファンの羽根部分の構成を示している。
【００９２】
この実施の形態のものは、上述の図１０に示す最良の実施の形態４の構成のように凹条の溝Ａ，Ａ・・・と凸条の山Ｂ，Ｂ・・・をハブ１の軸中心Ｏから半径方向外方に均等な所定回転角度間隔で延びる複数本の直線Ｌ，Ｌ・・・を引いた時の当該各直線Ｌ，Ｌ・・・に対して所定の角度θだけ回転方向後方に（後縁２ｂ方向に）傾斜させる場合において、その傾斜角θを回転方向に沿うように一層大きくしたことを特徴とするものである。
【００９３】
このようにすると、上記凹条の溝Ａ，Ａ・・・よりなる凹条面および凸条の山Ｂ，Ｂ・・・よりなる凸条面を、羽根面上を半径方向から周方向に流れる空気流のフローパターンに応じた方向に延びるものとすることができ、上記図１０の場合に比べて、より羽根外周端２ｃ部分における前縁側から後縁側方向への流れを乱すことなく、波形部による翼渦破砕作用をより有効に実現することができる。
【００９４】
（最良の実施の形態８）
図１７〜図１９は、空気調和機用室外機ユニットの送風機に適した本願発明の最良の実施の形態８に係るプロペラファンの羽根部分の構成を示している。
【００９５】
この実施の形態のものは、羽根２の外周端２ｃ部分は、図示のように前縁２ａ付近から後縁２ｂ付近にかけて、例えば折り曲げるか又は反り返らせることにより所定の幅で負圧面側（吸い込み側）に曲成されており、該曲成部の半径方向の幅Ｗは、図１８に詳細に示すように、上記前縁２ａ側から後縁２ｂ側にかけて次第に所定の比率で拡大されたものとなっている。
【００９６】
そして、この実施の形態では、さらに上記負圧面側への曲成部の後縁近傍領域（後縁端から長さＬの領域）では、当該曲成された外周端２ｃの一部を、さらに折り曲げ等の手段で、もう一段階所定の角度負圧面側に斜めに曲成した三角状の第２の曲成部２ｄが設けられている。
【００９７】
このように、羽根２の外周端２ｃが負圧面側に曲成されていると、例えば図１９に示すように、当該羽根２の正圧面側の気流が外周端側凸面状の折り曲げ面に沿って滑らかに凹面状の負圧面内に回り込むようになり、発生する翼端渦（ロ）の渦径が小さく安定したものとなって、負圧面側における羽根外周方向への気流の漏れ流れ（ニ）が当該翼端渦（ロ）と干渉しなくなる。
【００９８】
しかも、上記負圧面側へ曲成された外周端２ｃの後縁近傍領域では、当該曲成部の一部を、さらに負圧面側に曲成した第２の曲成部２ｄが存在することにより、上記ベルマウス５で囲まれている部分で生じる上述の漏れ流れ（ニ）を、同第２の曲成部２ｄに沿って、より滑らかに下流側に流出させることができるようになり、その渦径を可及的に小さくして、流れの乱れをより効果的に抑制することができる。
【００９９】
（最良の実施の形態９）
図２０〜図２６は、空気調和機用室外機ユニットの送風機に適した本願発明の最良の実施の形態９に係るプロペラファンの羽根部分の構成を示している。
【０１００】
以上の最良の実施の形態１〜８および参考例１，２の構成のプロペラファンでは、それらの何れも羽根２がフラットであり、遠心力による外向き流れにより、羽根２の外周側に流れが集中する。
【０１０１】
その結果、次のような問題が生じる。
【０１０２】
（１）  使用点により翼面のフローパターンが変化する。
【０１０３】
（２）  運転ポイントが変化したときに、翼のそり形状と流れのパターンが一致しなくなり、送風性能が低下する。
【０１０４】
特にベルマウスにより翼の一部分のみが囲われている半開放型のプロペラファンの場合、吸い込み側での半径方向速度成分の変化が大きい。
【０１０５】
（３）  ベルマウスで囲われている下流側においても、求心的な流れ、軸方向流れ、外向き流れと様々に変化する。
【０１０６】
（４）  通風抵抗が大きい時には、外向き流れになりやすく、翼の外周側に流れが偏り、ハブ側で有効に仕事ができなくなる。
【０１０７】
そこで、この実施の形態では、そのような問題をも解決するために、例えば図２０〜図２６に示すように、上述の最良の実施の形態１の構成を前提として、さらに羽根後縁部２ｂの正圧面側のスパン方向に複数列の断面円弧状の凹条部２１〜２３を回転方向（周方向）に延びる形で並設することによって、それら凹条部２１〜２３の円弧面およびそれら凹条部２１〜２３各々の間に形成される山状の凸状部２４，２５によって遠心力による外向き方向の流れ（矢印参照）を抑制するようにしている（図２３を参照）。
【０１０８】
このような構成によると、上記遠心力による羽根２のハブ１側から外周端２ｃ側への外向きの流れを所定の深さの断面円弧状の凹条部２１〜２３および所定の高さの凹条部間凸条部２４，２５によって効果的に抑制し得るようになる。
【０１０９】
すなわち、同構成では、羽根２の圧力面側の遠心力による半径方向の速度成分が、上記凹条部２１〜２３の円弧面と凹条部２１〜２３の外側の凸条部２４，２５の壁面に押しつけられて、効果的に外向きの流れが抑制される。これにより、正圧面側の流れは、断面円弧状の凹条部２１〜２３の軸方向（長手方向）に沿って流れやすくなる（図２４参照）。
【０１１０】
その結果、羽根２の外周部側に流れが集中せず、羽根２の外周側とハブ１側との速度差、風量差が小さくなり、外周側での仕事量が減少する一方、ハブ１側での仕事量が増加し、結局羽根２はそのスパン方向の全体にわたって仕事をするようになる。また、翼外周部でベルマウスの隙間Ｓを通過して圧力面側から負圧面側に漏れる流れも少なくなり、翼端渦も小さくなる。
【０１１１】
したがって、それらのトータルとして送風性能（効率、送風音）が向上する。
【０１１２】
しかも、この実施の形態の場合、上記羽根後縁部２ｂの負圧面側には、上記羽根正圧面側の断面円弧状の凹条部２１〜２３に対応して断面逆円弧状の凸条部２６〜２８が形成されている。
【０１１３】
したがって、このような構成によると、羽根後縁部２ｂを波形に湾曲させて成形することにより、図示のような薄翼タイプの羽根２の場合にも、正圧面側に十分な深さの凹条部２１〜２３、十分な高さの凹条部間凸条部２４，２５を簡単に形成することができる。
【０１１４】
したがって、成形が容易であるとともに、上記遠心力による羽根２のハブ１側から外周端２ｃ側への外向きの流れを同十分な深さの凹条部２１〜２３および十分な高さの凹条部間凸条部２４，２５によって、より確実に抑制し得るようになる。
【０１１５】
また、この実施の形態では、上記凹条部２１〜２３は、羽根後縁部２ｂのキャンバーラインを通る翼弦長の略中点より後縁側のベルマウス４で囲われた部分に対応して設けられている。
【０１１６】
すでに述べたように、ベルマウス４により羽根２の一部分が囲われている半開放型のプロペラファンの場合、吸い込み側での半径方向速度成分の変化が大きい。したがって、ベルマウス４で囲われている下流側においても、流れの状態が求心的な流れ、軸方向流れ、外向き流れと様々に流れが変化する。
【０１１７】
ところが、上述の凹条部２１〜２３を、同ベルマウス４で囲われた部分に対応する部分に設けると、羽根外周部でベルマウス４との隙間Ｓを通過して正圧面側から負圧面側に漏れる流れが少なくなり、翼端渦も十分に小さくなる。
【０１１８】
また、上記凹条部２１〜２３は同翼弦長の中点付近でその大きさが徐々に小さくなり、羽根面に滑らかに面一化されるように構成されている。
【０１１９】
このような構成によると、ベルマウス４で囲われた部分に対応する部分において、羽根外周部でベルマウス４の隙間を通過して圧力面側から負圧面側に漏れる流れが、よりスムーズに少なくなり、より効果的に翼端渦も小さくなる。
【０１２０】
また以上の場合において、上記凹条部２１〜２３を設けるエリアとしては、例えば各周方向部のスパン方向で（各スパン方向位置のキャンバーライン上で）の前縁と後縁との間の距離、すなわち翼弦長の前縁から３０％〜１００％の位置であることが好ましい（図２４のｌ１／ｌが、０＜ｌ１／ｌ≦０．７）。
【０１２１】
さらに、また上記凹条部２１〜２３は、上記ハブ１と羽根外周端２ｃとの間の距離の０％〜８５％の位置の一部か、又は同ハブ１と羽根外周端２ｃとの間の距離Ｒの０％〜８５％の位置の全体に設けることが好ましい。
【０１２２】
また、この場合、上記羽根２，２，２の翼端２ｃには、例えば図２５および図２６に示すように、最良の実施の形態１の場合と同様に、その前縁２ａ側から後縁２ｂ側にかけて略全体に亘って、交互に連続する複数の凹条の溝Ａ，Ａ・・・および凸条の山Ｂ，Ｂ・・・が設けられており、全体として同じ厚さの波形部を形成している。
【０１２３】
したがって、羽根２，２，２の外周端２ｃ，２ｃ，２ｃ部分において正圧面側から負圧面側に流れ込む連続的な漏れ流れを、例えば図２６に示すように断続的な細かいものに細分化することができる。これにより同漏れ流れによる従来のようなコアを共通にする翼端渦の成長（図３２参照）を可及的に抑制することができる。
【０１２４】
その結果、ファンの騒音やファンモーターの駆動負荷を低減することができ、ファンモータへの入力を低減することができる。
【０１２５】
なお、以上の場合において、上記凹条の溝Ａよりなる凹条面又は凸条の山Ｂよりなる凸条面の面形状は角面形状でも曲面形状でもよいが、曲面の場合には滑らかに空気を流しながら、スムーズに渦の細分化を図ることができる。
【０１２６】
他方、角面の場合には、より効果的に渦の細分化を図ることができる。
【０１２７】
（変形例１）
なお、上記の構成では、羽根後縁部２ｂのハブ１側から外周端側に輪郭線（縁面）自体は変更することなく、圧力面側凹条部２１〜２３と負圧面側凸条部２６〜２８を形成するようにしたが、同後縁部２ｂの輪郭線自体は、長短波形の湾曲線形状、または鋸歯状に形成してもよいことは言うまでもない。
【０１２８】
（変形例２）
また、上記図２０〜図２６の構成の場合において、上記羽根外周端２ｃの凹条の溝Ａ，Ａ・・・および凸条の山Ｂ，Ｂ・・・よりなる波形部は必ずしも前縁２ａ側から後縁２ｂ側までの全域に亘って設けなければならないものではなく、前述の実施の形態７のように、少なくとも正圧面側から負圧面側に気流が漏れ始める起点以降の領域をカバーするように設ければ良く、その場合において、先に述べた図３２に示すように、後縁２ｂ側に行くほど翼端渦が増大するので、例えば図２７に示す如く、それに対応して前縁２ａ側から後縁２ｂ側にかけて波形部分の幅を次第に拡大することが好ましい。
【０１２９】
（変形例３）
また、同じく上記図２０〜図２６の構成の場合において、上記羽根外周端２ｃの凹条の溝Ａ，Ａ・・・および凸条の山Ｂ，Ｂ・・・は、例えば図２８、図２９に示すように、上述の実施の形態７の図１５、図１６の場合のように大きく傾斜させることもできる。
【０１３０】
また、その場合において、さらに上述の実施の形態８の場合のように、外周端２ｃ部分を負圧面側に反り返らせ、また同様に第２の曲成部２ｄを形成することも可能である。
【０１３１】
さらに、そのように傾斜させた場合において、同傾斜角θ１〜θｎを前縁２ａ側から後縁２ｂ側にかけて少しづつ大きくするようにすることもできる（図２９参照）。
【０１３２】
（変形例４）
さらに、上記変形例２，３のように構成した場合において、上記羽根後縁部２ｂの回転方向に延びるスパン方向複数列の凹条部２１〜２３およびそれらの間に形成される凹条部間凸条部２４，２５は、例えば図３０および図３１に示すように、より幅の狭いものとして、その数を増やすようにしてもよい。
【０１３３】
また、その場合、ハブ１側から羽根外周端２ｃ側に行くにしたがって、次第に幅を小さくして行くようにしてもよい。
【０１３４】
（その他の実施の形態）
以上の各実施の形態における構成は、前進翼、後退翼、羽根形状、羽根枚数などを問わず、軸流ファンとしての各種のタイプのプロペラファン全てのものに共通に適用できるものであることは言うまでもない。
【図面の簡単な説明】
【０１３５】
【図１】本願発明の最良の実施の形態１に係るプロペラファンの全体構成を示す中央縦断面図である。
【図２】同プロペラファンの羽根部の背面図（負圧面側）である。
【図３】同プロペラファンの羽根部の羽根の拡大背面図（負圧面側）である。
【図４】同プロペラファンの羽根部の羽根の要部の断面図（図３のａ−ａ断面）である。
【図５】同プロペラファンの羽根部の羽根の翼端渦抑制作用を示す斜視図である。
【図６】本願発明の最良の実施の形態２に係るプロペラファンの羽根部の羽根の要部の構成を示す断面図である。
【図７】本願発明を理解する上での参考例１に係るプロペラファンの羽根部の羽根の要部の構成を示す断面図である。
【図８】本願発明を理解する上での参考例２に係るプロペラファンの羽根部の羽根の要部の構成を示す断面図である。
【図９】本願発明の最良の実施の形態３に係るプロペラファンの羽根部の羽根の構成を示す背面図（負圧面側）である。
【図１０】本願発明の最良の実施の形態４に係るプロペラファンの羽根部の羽根の構成を示す背面図（負圧面側）である。
【図１１】本願発明の最良の実施の形態５に係るプロペラファンの羽根部の羽根の構成を示す背面図（負圧面側）である。
【図１２】羽根外周端の波形部をベルマウスとのオーバラップ部分のみに設けた本願発明の最良の実施の形態６に係るプロペラファンの構成を示す中央縦断面図である。
【図１３】同波形部をベルマウスとオーバラップしない部分に設けた本願発明の最良の実施の形態６に係るプロペラファンの構成を示す中央縦断面図である。
【図１４】同波形部を翼端渦の増大し始める領域を中心にして設けた本願発明の最良の実施の形態６に係るプロペラファンの構成を示す中央縦断面図である。
【図１５】本願発明の最良の実施の形態７に係るプロペラファンの羽根部の羽根の要部の構成を示す断面図である。
【図１６】同プロペラファンの羽根部の羽根の要部の構成を示す拡大背面図（負圧面側）である。
【図１７】本願発明の最良の実施の形態８に係るプロペラファンの羽根部の羽根の構成を示す背面図（負圧面側）である。
【図１８】同プロペラファンの羽根部の羽根の要部の構成を示す拡大背面図（負圧面側）である。
【図１９】同プロペラファンの羽根の外周端波形部の作用を示す断面図である。
【図２０】本願発明の最良の実施の形態９に係るプロペラファンの構成を示す中央縦断面図である。
【図２１】同プロペラファンの羽根部の羽根の要部の構成を示す断面図である。
【図２２】同プロペラファンの羽根部の羽根の要部の構成を示す拡大背面図（負圧面側）である。
【図２３】同プロペラファンの羽根部の羽根の構成と作用を示す断面図である。
【図２４】同プロペラファンの羽根部の羽根の要部の構成と作用を示す断面図（図２２のｄ−ｄ断面）である。
【図２５】同プロペラファンの羽根部の羽根の要部の構成を示す一部拡大断面図である。
【図２６】同プロペラファンの羽根部の羽根外周端の構成と作用を示す斜視図である。
【図２７】本願発明の最良の実施の形態９の変形例２に係るプロペラファンの構成を示す正面図（正圧面側）である。
【図２８】本願発明の最良の実施の形態９の変形例３に係るプロペラファンの構成を示す正面図（正圧面側）である。
【図２９】同変形例３のプロペラファンの羽根部の羽根の要部の構成を示す正面図（正圧面側）である。
【図３０】本願発明の最良の実施の形態９の変形例４に係るプロペラファンの構成を示す中央縦断面図である。
【図３１】同変形例４プロペラファンの羽根部の羽根の要部の構成を示す断面図である。
【図３２】従来のプロペラファンの羽根部の羽根の構成と第１の問題点を示す説明図である。
【図３３】従来のプロペラファンの羽根部の羽根の構成と第２の問題点を示す斜視図である。
【符号の説明】
【０１３６】
１はハブ、２は羽根、２ａは前縁、２ｂは後縁、２ｃは翼端、４はベルマウス、２１〜２３、２１ａ〜２１ｆは凸条部、２４，２５は凹条部２１〜２３，２１ａ〜２１ｆ間に形成される凸条部、Ａは凹条の溝、Ｂは凸条の山である。
【図１】
0005125518.tif 000002
【図２】
0005125518.tif 000003
【図３】
0005125518.tif 000004
【図４】
0005125518.tif 000005
【図５】
0005125518.tif 000006
【図６】
0005125518.tif 000007
【図７】
0005125518.tif 000008
【図８】
0005125518.tif 000009
【図９】
0005125518.tif 000010
【図１０】
0005125518.tif 000011
【図１１】
0005125518.tif 000012
【図１２】
0005125518.tif 000013
【図１３】
0005125518.tif 000014
【図１４】
0005125518.tif 000015
【図１５】
0005125518.tif 000016
【図１６】
0005125518.tif 000017
【図１７】
0005125518.tif 000018
【図１８】
0005125518.tif 000019
【図１９】
0005125518.tif 000020
【図２０】
0005125518.tif 000021
【図２１】
0005125518.tif 000022
【図２２】
0005125518.tif 000023
【図２３】
0005125518.tif 000024
【図２４】
0005125518.tif 000025
【図２５】
0005125518.tif 000026
【図２６】
0005125518.tif 000027
【図２７】
0005125518.tif 000028
【図２８】
0005125518.tif 000029
【図２９】
0005125518.tif 000030
【図３０】
0005125518.tif 000031
【図３１】
0005125518.tif 000032
【図３２】
0005125518.tif 000033
【図３３】
0005125518.tif 000034